(57)【要約】【課題】ベゼルの狭額縁化を図りつつ、液晶表示パネルを不動にさせる液晶表示装置を提供する。【解決手段】固定軸６２がベゼル５１における囲み壁片５３の外孔５５および内蔵シャーシ４１における裾片４３の内孔４５を通過し、その固定軸６２の先端側にクランク６３が嵌る。そして、回動するクランク６３がバックライトシャーシ３１の鍔片３５に接触することで、鍔片３５が押し上げられる。すると、拡散シート２５、光学シート２６を介して鍔片３５に重なる内蔵シャーシ４１の支持片４２も押し上げられる。この支持片４２は、ベゼル５１の挟持片５２とで液晶表示パネル１１を挟んでいる。そのため、液晶表示パネル１１は、移動してくる支持片４２と挟持片５２とによって強固に挟まれる。【選択図】図１
2009109691.tif 000002
【特許請求の範囲】
【請求項１】
液晶表示パネルと、
上記液晶表示パネルの縁を支える支持片、および上記支持片の外縁から垂れ下がる裾片を含む第１シャーシと、
上記支持片とで上記液晶表示パネルの縁を挟む挟持片、および上記挟持片の外縁から垂れ下がり上記裾片の外側面を囲む囲み壁片を含むベゼルと、
上記液晶表示パネルを支える支持片の表面に対する裏面に対向する鍔片、および上記鍔片を縁とし内部に光源を収容する収容体を含む第２シャーシと、
上記支持片および上記鍔片によって挟持される光学部材と、
上記裾片に形成される内孔および上記囲み壁片に形成される外孔に嵌ることで、上記第１シャーシと上記ベゼルとに通じる固定軸と、
上記固定軸を支点にして回動することで、上記鍔片に接触し、その鍔片を上記支持片に向かわせるとともに、その支持片を上記挟持片に向かわせるクランクと、
を含む液晶表示装置。
【請求項２】
上記クランクと上記鍔片との接触状態を維持する維持機構が含まれている請求項１に記載の液晶表示装置。
【請求項３】
上記クランクの長手方向にて上記支点から最も乖離したクランクの一端が、上記鍔片に面接触する面型端部であり、この面型端部が上記維持機構である請求項２に記載の液晶表示装置。
【請求項４】
上記クランクは、四隅を湾曲させた矩形板であり、
上記矩形板の長手方向における一方側の端が、上記面型端部である請求項３に記載の液晶表示装置。
【請求項５】
上記クランクに含まれる突起柱と、
上記クランクの長手方向にて上記支点から最も乖離したクランクの一端であり、上記鍔片に点接触する点型端部と、
上記第１シャーシまたは上記第２シャーシに含まれており、上記点型端部と上記鍔片との接触状態にて、上記突起柱を保持する保持部と、
が、上記維持機構である請求項２に記載の液晶表示装置。
【請求項６】
上記クランクは楕円板で、
上記楕円板の長軸方向における一方側の端が、上記点型端部となっており、
上記突起柱は、上記長軸方向の他方側の端から突き出ており、
上記保持部は、上記第１シャーシの裾片の内壁面または上記第２シャーシの収容体の外壁面から隆起かつ並列する２個の半球状の隆起端であり、
これらの隆起端同士が、上記突起柱を挟み込む請求項５に記載の液晶表示装置。
【請求項７】
上記クランクには、回動用持ち手が含まれている請求項１〜６に記載の液晶表示装置。
【請求項８】
上記突起柱が、上記回動用持ち手にもなる請求項５または６を引用する請求項７に記載の液晶表示装置。
【発明の詳細な説明】
【技術分野】
【０００１】
本発明は、液晶表示装置に関するものである。
【背景技術】
【０００２】
特許文献１にて開示されているような液晶表示装置は、図１０Ａの平面図および図１０Ｂの断面図（図１０Ａにおける液晶表示装置１８９のＺ−Ｚ’線矢視断面図）に示すように、シャーシ１３１とベゼル１５１とが、固定ネジ１６０で締結される。そして、この図１０Ａおよび図１０Ｂに示すように、固定ネジ１６０が多ければ、より確実に、シャーシ１３１とベゼル１５１とが強固に固定される。
【０００３】
その上、液晶表示パネル１１１の縁は、シャーシ１３１とベゼル１５１とによって挟み込まれる。そのため、シャーシ１３１とベゼル１５１とが強固に固定されると、液晶表示パネル１１１は、液晶表示装置１８９内にて不動になる。
【特許文献１】特開２００１−１３８８８号公報（図１参照）
【発明の開示】
【発明が解決しようとする課題】
【０００４】
しかしながら、最近の液晶表示パネル１１１は大画面化を要求されるものの（液晶表示パネルの有効面積の拡大が要求されているものの）、液晶表示装置１８９自体は小型化および軽量化を要求される。そのため、液晶表示パネル１１１の縁にはできるだけ、ベゼル１５１の表面部分が位置しないことが望ましい。すなわち、液晶表示パネル１１１に対するベゼル１５１の狭額縁化が望まれている。また、シャーシ１３１等の部材もできるだけ小型にすることも望まれている。
【０００５】
しかし、狭額縁化のため、ベゼル１５１の表面部分の面積が縮小すると、固定ネジ１６０を取り付けるスペースがなくなる。すると、ベゼル１５１の側壁に位置する固定ネジ１６０だけになる。この固定ネジ１６０だけであっても、シャーシ１３１とベゼル１５１とは固定されるものの、シャーシ１３１が大型化する（重量も重くなる）。なぜなら、図１０Ｂに示すように、シャーシ１３１が、固定ネジ１６０の先端に到達するまで延び出るためである（矢印α参照）。
【０００６】
また、シャーシ１３１が固定ネジ１６０に至るまで延びておらず、かつ、ベゼル１５１の表面部分から固定ネジ１６０が取り付けられていなければ、ベゼル１５１とシャーシ１５１とで、液晶表示パネル１１１を挟み込む力が弱まる。そのため、例えば、液晶表示装置１８９に振動等が加わった場合、液晶表示パネル１１１が変動しかねない。
【０００７】
本発明は、上記の状況を鑑みてなされたものである。そして、本発明の目的は、ベゼルの狭額縁化を図りつつ、液晶表示パネルを不動にさせる液晶表示装置を提供することにある。
【課題を解決するための手段】
【０００８】
液晶表示装置は、画像を表示する液晶表示パネル、第１シャーシ、ベゼル、第２シャーシ、光の光路を変更させる光学部材、固定ユニット（固定軸およびクランク）を含む。
【０００９】
第１シャーシは、液晶表示パネルの縁を支える支持片、およびその支持片の外縁から垂れ下がる裾片を含む。ベゼルは、第１シャーシの支持片とで液晶表示パネルの縁を挟む挟持片、およびその挟持片の外縁から垂れ下がり第１シャーシの裾片の外側面を囲む囲み壁片を含む。第２シャーシは、液晶表示パネルを支える第１シャーシの支持片の表面に対する裏面に対向する鍔片、およびその鍔片を縁とし内部に光源を収容する収容体を含む。
【００１０】
そして、光学部材は、第１シャーシの支持片および第２シャーシの鍔片によって挟持される。固定ユニットは、固定軸とクランクとを含む。固定軸は、第１シャーシの裾片に形成される内孔およびベゼルの囲み壁片に形成される外孔に嵌ることで、第１シャーシとベゼルとに通じる。クランクは、固定軸を支点にして回動することで、第２シャーシの鍔片に接触し、その鍔片を第１シャーシの支持片に向かわせるとともに、その支持片をベゼルの挟持片に向かわせる。
【００１１】
以上のような部材を含む液晶表示装置であれば、固定ユニットのクランクによって、鍔片が支持片に向かって移動し、鍔片と支持片との間に介在する光学部材は、強固に保持される。その上、支持片は鍔片の移動に連動し、ベゼルの挟持片に向かって移動する。そのため、液晶表示パネルは、支持片と挟持片とによって強固に保持される。
【００１２】
そして、この液晶表示装置は、光学部材および液晶表示パネルを強固に固定できるものの、固定ユニットの固定軸は、ベゼルの囲み壁片に取り付けられる。そのため、液晶表示パネルの縁を覆うことになるベゼルの挟持片には、何らの部材は位置しない。すると、この挟持片の面積は狭くなってもよい。すると、液晶表示パネルに対するベゼルの狭額縁化が実現する。
【００１３】
なお、クランクと第２シャーシの鍔片との接触状態を維持する維持機構が含まれていると望ましい。そのような維持機構は、例えば、クランクの長手方向にて支点から最も乖離したクランクの一端で、第２シャーシの鍔片に面接触する面型端部である。なぜなら、クランクの端である面型端部が鍔片に面接触すると、接触面積が比較的大きくなるので、クランクと鍔片とが強固に固定するためである。
【００１４】
なお、このような面型端部の具体例には、クランクが四隅を湾曲させた矩形板であり、その矩形板の長手方向における一方側の端が面型端部である一例が挙げられる。
【００１５】
また、維持機構の一例として、クランクに含まれる突起柱と、クランクの長手方向にて支点から最も乖離したクランクの一端であり、第２シャーシの鍔片に点接触する点型端部と、第１シャーシまたは第２シャーシに含まれており、点型端部と鍔片との接触状態にて、突起柱を保持する保持部と、の３つの部材のセットが挙げられる。
【００１６】
第２シャーシの鍔片に接触するクランクの端部が点接触する場合、面接触の場合に比べて、クランクと鍔片との接触の安定性は下がる。しかし、クランクに含まれる突起柱が、第１シャーシまたは第２シャーシに含まれる保持部によって保持されれば、クランク自体が不動になる。そのため、クランクと鍔片との接触の安定性が向上する。
【００１７】
なお、このような維持機構の具体的な一例は以下のようなものが挙げられる。すなわち、クランクは楕円板で、その楕円板の長軸方向の一方側の端が、点型端部となっている。また、突起柱は、クランクの長軸方向における他方側の端から突き出ている。そして、保持部は、第１シャーシの裾片の内壁面または第２シャーシの収容体の外壁面から隆起かつ並列する２個の半球状の隆起端であり、これらの隆起端同士が、突起柱を挟み込む。
【００１８】
ところで、クランクには、回動用持ち手が含まれていると望ましい。特に、楕円板のクランクの場合、突起柱が、回動用持ち手にもなっていると望ましい。
【発明の効果】
【００１９】
本発明によれば、液晶表示装置内の液晶表示パネルを固定させる部材（固定軸等）が液晶表示パネルの縁を覆うベゼルの挟持片ではなく、その挟持片からの外縁から垂れ下がる囲み壁片に取り付けられる。そのため、挟持片の面積は比較的狭くなる。その結果、液晶表示パネルの有効面積が広くなる。
【発明を実施するための最良の形態】
【００２０】
［実施の形態１］
本発明の実施の一形態について、図面に基づいて説明すれば、以下の通りである。なお、便宜上、ハッチング、部材符号等を省略する場合もあるが、かかる場合、他の図面を参照するものとする。また、図面上での黒丸は紙面に対し垂直方向を意味する。
【００２１】
図９は、液晶表示装置の分解斜視図である。この図に示すように、液晶表示装置８９は、液晶表示パネル１１と、バックライトユニット２１と、ベゼル５１を含んでいる。
【００２２】
液晶表示パネル１１は、ＴＦＴ（Thin Film Transistor）等のスイッチング素子を含むアクティブマトリックス基板１２と、このアクティブマトリックス基板１２に対向する対向基板１３とをシール材（不図示）で貼り合わせている。そして、両基板１２・１３の隙間に液晶（不図示）が注入される。
【００２３】
この液晶表示パネル１１は非発光型の表示パネルなので、バックライトユニット２１からの光（バックライト光）を受光することで表示機能を発揮する。そのため、バックライトユニット２１からの光が液晶表示パネル１１の全面を均一に照射できれば、液晶表示パネル１１の表示品位が向上することになる。
【００２４】
なお、後述の図４に示すように、液晶表示パネル１１における画素の駆動制御用のドライバー（ソースドライバー）１４を含め種々の素子や配線を設けているフィルム（System On Film）１５が、アクティブマトリックス基板１２につながっている。したがって、画素の駆動制御に使用される電気信号は、フィルム１５と制御基板１６とを介していることになる。
【００２５】
バックライトユニット２１は、バックライト光を生成するために、蛍光管（光源）２２ランプホルダ２３、バックライトシャーシ（第２シャーシ）３１、反射シート２４、拡散シート（光学部材）２５、光学シート（光学部材）２６、および内蔵シャーシ（第１シャーシ）４１を含んでいる。
【００２６】
蛍光管（線状光源）２２は、線状（棒状、円柱状等）になっており、バックライトユニット２１内に複数本で搭載される（ただし、便宜上、図面では一部の本数のみが示されている）。
【００２７】
ランプホルダ２３は、２個１組のブロック状部材であり、蛍光管２２を保持する。詳説すると、各ランプホルダ２３が、蛍光管２２の一端と他端とを支えることで、蛍光管２２をバックライトユニット２１に搭載させる。また、より安定的に蛍光管２２をバックライトユニット２１に搭載させるべく、蛍光管２２を把持するランプクリップ（不図示）が含まれてもよい。
【００２８】
なお、蛍光管１１の種類は限定されることはなく、例えば、冷陰極管や熱陰極管であってもよい。また、以降では、蛍光管２２の並列方向（蛍光管２２が直線状に並ぶ方向）をＸ方向、蛍光管２２の延び方向をＹ方向、Ｘ方向およびＹ方向の両方向に垂直な方向をＺ方向と称する。
【００２９】
バックライトシャーシ３１は、対向する壁（対向壁）３２・３２を有する収容体３３と、対向壁３２・３２の先端から収容体３３の底面３４の面内方向と平行で、かつ底面３４離れるように延び出た鍔片３５・３５と、を含む。そして、このバックライトシャーシ３１の収容体３３が、蛍光管２２等の種々部材を収容する。
【００３０】
反射シート２４は、収容体３３の底面３４を覆うとともに、鍔片３５・３５にまで到達する反射部材である。そして、この反射シート２４は、収容体３３内に位置する蛍光管２２の光を反射させる。詳説すると、反射シート２４は、蛍光管２２から出射される放射状の光（蛍光管２２を中心とした放射状の光）の一部を反射させ、収容体３３の開放面に導く。
【００３１】
なお、バックライトシャーシ３１の鍔片３５から底面３４に至るまでの反射シート２４の部分は、底面３４を覆う反射シート２４の一部分に対して傾斜していると望ましい（ただし、これに限定されるものではなく、対向壁３２に平行になっていてもよい）。
【００３２】
また、バックライトシャーシ３１の構成部材自体が、反射機能を有する樹脂または金属等で構成されていてもよい。このようになっていれば、反射シート２４を除くことができるためである。
【００３３】
拡散シート２５は、光を散乱させる機能および拡散させる機能を有するポリエチレンテレフタレート等の樹脂で形成された部材である。そして、この拡散シート２５は、対向する縁の一部分をバックライトシャーシ３１の鍔片３５・３５に支持させ、残りの対向する縁の部分をランプホルダ２３の天面２３ｕに支持させる（なお、天面２３ｕとは、ランプホルダ２３にて、液晶表示パネル１１側に向く一面のことである）。
【００３４】
つまり、ランプホルダ２３・２３が、対向壁３２・３２の位置しない底面３４の縁に位置することで、それらランプホルダ２３・２３と対向壁３２・３２とが枠状に配置する。そのため、拡散シート２５の縁は、枠状配置のランプホルダ２３・２３および対向壁３２・３２にて支えられる。
【００３５】
すると、拡散シート２５は、並列する蛍光管２２を覆うように位置する。その結果、この拡散シート２５に、蛍光管２２から進行してきた光が入射すると、その光は散乱および拡散し、面内方向にいきわたる。
【００３６】
光学シート２６は、例えばシート面内にレンズ形状を有し、光の放射特性を偏向させる（集光させる）レンズシートであり、拡散シート２５を覆うように位置する。そのため、光学シート２６において対向する縁は、拡散シート２５を支える鍔片３５・３５にて支えられる。そして、この光学シート２６に、拡散シート２５から進行してきた光が入射すると、その光は集光し、単位面積あたりの発光輝度を向上させる。
【００３７】
内蔵シャーシ４１は、液晶表示パネル１１を支えるとともに、拡散シート２５および光学シート２６を押さえる枠状の部材である。詳説すると、内蔵シャーシ４１は、支持片４２と裾片４３とを含む。
【００３８】
支持片４２は、バックライトシャーシ３１の鍔片３５およびランプホルダ２３の天面２３ｕに支えられる拡散シート２５の縁およびレンズシート２６の縁を覆うとともに、その覆う面の反対（表面）で、液晶表示パネル１１の縁を支える。一方、裾片４３は、支持片４２の外縁から垂れ下がり、バックライトシャーシ３１における収容体３３の対向壁３２を囲む。なお、裾片４３の内壁面４３ｉと対向壁３２の外壁面３２ｓとの間には隙間が生じる（後述の図４等参照）。
【００３９】
ベゼル５１は、液晶表示装置８９としての外装で、内蔵シャーシ４１上に位置する液晶表示パネル１１を挟み込む部材であり、挟持片５２と囲み壁片５３とを含む。
【００４０】
挟持片５２は、内蔵シャーシ４１の支持片４２とで液晶表示パネル１１の縁を挟む。一方、囲み壁片５３は、挟持片５２の外縁から垂れ下がり、内蔵シャーシ４１の裾片４３の外側面を囲む。
【００４１】
そして、以上のようなバックライトユニット２１では、並列する蛍光管２２が、インバータ（不図示）から供給される交流信号によって光を発する。かかる光は、直接拡散シート２５に到達する、もしくは、反射シート２４にて反射した後に拡散シート２５に到達する。さらに、拡散シート２５に到達した光は、拡散されつつ光学シート２６を通過することで発光輝度を高めたバックライト光になって出射する。そして、このバックライト光は、液晶表示パネル１１に到達し、液晶表示パネル１１は画像を表示させる。
【００４２】
ここで、図３の斜視図、および図９のＡ−Ａ’線矢視断面図である図４を用いて、図９で図示できなかった固定ユニットＵＴについて説明する。図３に示すように、固定ユニットＵＴは、軸頭６１を有する固定軸６２と、その固定軸６２にて回動するクランク６３と、クランク６３を回動させるための持ち手（突起柱）６４と、を含む。
【００４３】
固定軸６２は、図４に示すように、ベゼル５１の囲み壁片５３に形成される外孔５５および内蔵シャーシ４１の裾片４３に形成される内孔４５に嵌り、軸頭６１を囲み壁片５３の外側に密着させる。そして、この囲み壁片５３に、固定軸６２は固定される（固定の仕方は特に限定されるものではない）。
【００４４】
なお、固定軸６２は、軸頭６１を囲み壁片５３の外側に位置させる状態にて、先端６２ｐをバックライトシャーシ３１の対向壁３２に接しない程度の長さを有する。また、囲み壁片５３の外孔５５の径は、固定軸６２を挿入させつつもぶれさせない程度の径である。一方で、内蔵シャーシ４１の内孔４５は、外孔５５同様、固定軸６２を挿入させつつもぶれさせない程度の径を有しており、さらに、支持片４２に向かって延びる長孔である。
【００４５】
クランク６３は、図３に示すように、四隅を湾曲させた（Ｒ形状にさせた）矩形板であり、自身の長手方向の一方側に支点となる開孔６５を含む。そして、この開孔６５に固定軸６２が嵌ることで、クランク６３は回動可能となる。
【００４６】
詳説すると、図４に示すように、固定軸６２が囲み壁片５３の外孔５５および裾片４３の内孔４５を通過し、その固定軸６２の先端側（軸頭６１に対して対向側）にクランク６３が嵌る（なお、クランク６３は、裾片４３と対向壁３２との隙間に位置する）。
【００４７】
なお、固定軸６２とクランク６３の開孔６５とが一旦嵌り合うと、固定軸６２からクランク６３が抜け落ちない。例えば、固定軸６２の周囲に溝が刻まれており、その溝とクランク６３とが嵌ることで、固定軸６２からクランク６３が抜け落ちない。
【００４８】
持ち手６４は、ユーザの手が触れる箇所であり、例えば、クランク６３の外周の一端に形成される突起（突起柱）である（すなわち、突起柱はクランク６３の回動用の持ち手にもなる）。なお、鍔片３５と接触することになるクランク６３の一端に位置しなければ、持ち手６４の位置は特に限定されるものではない（要は、クランク６３の回動の妨げにならず、かつ鍔片３５とクランク６３との接触を妨げない位置であればよい）。
【００４９】
そして、以上のような固定ユニットＵＴでは、持ち手６４を介して力が加えられることで、クランク６３が開孔６５を基準に回動（時計回り、または反時計回りのどちらかに回転）する。詳説すると、図１の断面図および図２の斜視図に示すように、クランク６３の長手方向にて、開孔６５に対向する側の面状の端部６６が鍔片３５に接触するまで、クランク６３は回動する（なお、図２は、収容体３３の対向壁３２の外壁面３２ｓを視認可能な方向からみた部分斜視図である）。
【００５０】
クランク６３における面状の端部（面型端部）６６は、矩形板の隅と隅とに挟まれる短手であり、矩形面を有する。そのため、鍔片３５は、この面型接触部６６によって押さえ付けられる。そして、鍔片３５は、クランク６３に押さえ付けられると、内蔵シャーシ４１の支持片４２側に向かって（ひいては、ベゼル５１の挟持片５２に向かって）移動する。すると、鍔片３５と支持片４２との間に介在する反射シート２４、拡散シート２５、および光学シート２６は、強固に密接することになる。
【００５１】
また、支持片４２につながる裾片４３の内孔４５は長孔である。そのため、鍔片３５の移動によって支持片４２に押圧が加わると、内蔵シャーシ４１自体が、長孔に沿って移動する。詳説すると、内孔４５の下端（内孔４５にて支持片４２から最も乖離した端）が固定軸６２に接するまで、内蔵シャーシ４１は、ベゼル５１の挟持片５２に向かって移動する。
【００５２】
つまり、クランク６３との接触によって移動する鍔片３５は、支持片４２とともにシート類（２４・２５・２６）を挟みこみ、さらに、支持片４２を連動させて、ベゼル５１の挟持片５２に向かわせる。すると、支持片４２は、液晶表示パネル１１を、挟持片５２とで挟み込む。その結果、液晶表示パネル１１が液晶表示装置８９内にて不動になる。
【００５３】
なお、液晶表示パネル１１が不動になるために、クランク６３は、回動した場合に、自身の端部（面型端部）６６をバックライトシャーシ３１の鍔片３５に接触させるだけの長さ（長手長）を有する。また、内蔵シャーシ４１における内孔（長孔）４５の孔長および裾片４３の高さ長と、ベゼル５１の囲み壁片５３の高さ長とは、鍔片３５の移動に連動した内蔵シャーシ４１の支持片４２とベゼル５１の挟持片５２との間隔を、液晶表示パネル１１を挟み込める程度にするために要する長さになっている。
【００５４】
以上のようにして、液晶表示パネル１１を不動にする液晶表示装置８９であれば、ベゼル５１の囲み壁片５３には固定軸６２が取り付けられるものの、挟持片５２には何らの部材は取り付けられない。そのため、液晶表示パネル１１の縁を覆う挟持片５２の面積が狭くなる。
【００５５】
そして、このように狭い挟持片５２を含むベゼル５１を搭載する液晶表示装置８９は、広い挟持片５２を含むベゼル５１を搭載する液晶表示装置８９よりも、液晶表示パネル１１の有効面積（ユーザに対して画像を表示できる面積）を広くできる。つまり、同サイズの液晶表示装置８９であっても、挟持片５２の面積が狭い分だけ、液晶表示パネル１１の有効面積が広がる。また、挟持片５２が狭い場合、液晶表示パネル１１がより強調された外観を有する液晶表示装置８９になる。そのため、液晶表示装置８９の美観性が向上する。
【００５６】
また、バックライトシャーシ３１の鍔片３５に接触するクランク６３の端部６６は、面状である。そのため、この面型端部６６と鍔片３５とは面接触し強固に密接する。すると、振動等によって、クランク６３が不要に回動しない。したがって、液晶表示装置８９に振動が加えられたとしても、クランク６３は確実に鍔片３５に接触して、シート類（２４・２５・２６）および液晶表示パネル１１を不動にする。
【００５７】
つまり、面状の端部６６が、クランク６３とバックライトシャーシ３１の鍔片３５との接触状態を維持させる（クランク６３の面状の端部６６が維持機構として機能する）。
【００５８】
［実施の形態２］
実施の形態２について説明する。なお、実施の形態１で用いた部材と同様の機能を有する部材については同一の符号を付記し、その説明を省略する。なお、実施の形態２では、固定ユニットＵＴの別例について説明する。
【００５９】
固定ユニットＵＴにおけるクランク６３は、実施の形態１にて説明するような、四隅を切り落として湾曲させたような矩形板に限定されるものではない。例えば、図５に示すように、楕円板のクランク６３であってもよい。このようなクランク６３では、楕円板の長軸方向における一方側の端部６７は、四隅を湾曲させた矩形板のクランク６３の面型端部６６に比べて狭い面積になる（端部６７は、面ではなく点に近くなる）。
【００６０】
そのため、この楕円板のクランク６３が回動し、長軸方向における一方側の端部（点型端部）６７がバックライトシャーシ３１の鍔片３５に接触した場合、鍔片３５に接触しているクランク６３の面積は、四隅を湾曲させた矩形板のクランク６３と鍔片３５との接触面積に比べて小さい（すなわち、楕円板のクランク６３は鍔片３５に対して点接触している）。
【００６１】
このようになっていると、この楕円板のクランク６３は、液晶表示装置８９に振動等が加わった場合、不要に回動しかねない。そこで、このクランク６３には、楕円板における長軸方向のもう一方の端、すなわち、長軸方向にて、鍔片３５に接触する端部６７に対向する端部６８に、持ち手６４が突き出ている。
【００６２】
さらに、図６の斜視図に示すように、バックライトシャーシ３１の対向壁３２に、持ち手６４を保持する２個の隆起端（半球状の隆起端）７１・７１が含まれる。つまり、２個の隆起端（保持部）７１・７１は、クランク６３の点型端部６７がバックライトシャーシ３１の鍔片３５に接触している状態にて、クランク６３の持ち手６４を挟み込む。
【００６３】
このようになっていると、クランク６３の長手方向（長軸方向）にて開孔６５から最も乖離した一端である点型端部６７が、変動しないため、安定して鍔片３５に接触する。また、クランク６３における開孔６５から点型端部６７までの長さ（Ｌ）は、クランク６３における開孔６５からその他の端部（端部６８を含むその他多数の端部）までの長さに比べて最も長い。そのため、点型端部６７が鍔片３５に接触している状態が、最も効果的に（最も強い押圧で）、鍔片３５が押し上げられることになる。
【００６４】
その上、点型端部６７が鍔片３５に到達するまでの過程にて、点型端部６７以外のクランク６３における外周の一端が鍔片３５に接触したとしても、その押圧は比較的小さい（点型端部６７が鍔片３５を押し上げる押圧よりも小さい）。そのため、点型端部６７が鍔片３５に到達するまでの過程にて、鍔片３５に過剰な押圧がかかったりはしない。そのため、過剰な押圧に起因して、鍔片３５等に変形は生じない。
【００６５】
ところで、以上のクランク６３の点型端部６７および持ち手６４と、バックライトシャーシ３１の対向壁３２に位置する２個の隆起端７１・７１とは、クランク６３と鍔片３５との接触状態を維持するための維持機構として機能する。しかし、２個の隆起端７１・７１の位置は、バックライトシャーシ３１の対向壁３２に限定されるものではない。
【００６６】
例えば、図７に示すように、内蔵シャーシ４１における裾片４３の内側面４３ｉに、２個の隆起端７１・７１が位置してもよい。この位置であっても、２個の隆起端７１・７１は、クランク６３の点型端部６７がバックライトシャーシ３１の鍔片３５に接触している状態にて、クランク６３の持ち手６４を挟み込めるためである。
【００６７】
なお、以上では、持ち手６４は、楕円板のクランク６３の長軸方向にて、点型端部６７に対向する一端６８に位置していたが、これに限定されるものではない。要は、クランク６３の回動の妨げにならず、かつ鍔片３５とクランク６３の点型端部６７との接触を妨げない位置であれば、持ち手６４の位置はどこでもよい。もちろん、持ち手６４の位置に応じて、２個の隆起端７１・７１の位置は適宜変更されることはいうまでもない。
【００６８】
［その他の実施の形態］
なお、本発明は上記の実施の形態に限定されず、本発明の趣旨を逸脱しない範囲で、種々の変更が可能である。
【００６９】
例えば、図８に示すように、四隅を湾曲させた矩形状のクランク６３では、持ち手６４がなくてもよい。ただし、楕円板のクランク６３の場合、持ち手６４は含まれていると望ましい。
【００７０】
実施の形態２にて説明したように、楕円板のクランク６３の場合、バックライトシャーシ３１の鍔片３５に接触する端部６７は点接触であり、それに起因してクランク６３が不要な回動をしかねない。そのため、持ち手６４は、２個の隆起端７１・７１によって保持されることで、クランク６３の不要な回動を防止させる機能も有していた。
【００７１】
しかしながら、四隅を湾曲させた矩形状のクランク６３の場合、バックライトシャーシ３１の鍔片３５に接触する端部６６は面接触であり、それに起因してクランク６３が不動になる。そのため、かかるクランク６３の場合、持ち手６４がなくてもかまわない。逆に、楕円板のクランク６３の場合、持ち手６４があったほうが望ましいことになる。
【００７２】
また、以上の固定軸６２は、ベゼル５１の囲み壁片５３に完全固定されていた（締結等されていた）。しかし、これに限定されるものではない。例えば、クランク６３がバックライトシャーシ３１の鍔片３５に接する場合に、ベゼル５１の外孔５５に嵌る固定軸６２の一端には比較的大きな負荷がかかる。
【００７３】
詳説すると、その固定軸６２の一端が、外孔５５の上端（外孔５５にて挟持片５２に最も近い端）に強く密着する。そこで、この密着を利用して（すなわち、クランク６３がバックライトシャーシ３１の鍔片３５に接することを利用して）、固定軸６２がベゼル５１の囲み壁片５３に固定されてもよい。
【００７４】
なお、以上では、液晶表示装置８９における１つの長手に位置する固定ユニットＵＴの１個を例に挙げて説明してきた。しかし、固定ユニットＵＴの個数は単数に限定されるものではない。むしろ、液晶表示装置８９の１つの長手に、複数の固定ユニットＵＴが取り付けられていると望ましい。
【００７５】
このようになっていると、より液晶表示パネル１１、およびシート類（２４・２５・２６）が一層不動になるためである。もちろん、液晶表示装置８９における２つの長手に、固定ユニットＵＴが取り付けられるとよいことはいうまでもない。
【００７６】
また、固定ユニットＵＴの取り付け位置は、液晶表示装置８９の長手に限定されるものではない。すなわち、液晶表示装置８９の１つの短手に、固定ユニットＵＴが取り付けられてもよい。もちろん、液晶表示装置８９における２つの短手に固定ユニットＵＴが取り付けられてもよいし、固定ユニットＵＴの個数も単数であっても複数であってもよい。
【００７７】
なお、液晶表示装置８９の短手に固定ユニットＵＴが取り付けられる場合、それら短手に対応したバックライトシャーシ３１の対向壁３２・３２および鍔片３５・３５が必要になる。つまり、バックライトシャーシ３１の形状は、２つの対向壁３２を有する収容体形状に限らず、例えば４つの対向壁３２を有する箱状であると望ましい。
【図面の簡単な説明】
【００７８】
【図１】は、後述の図４の液晶表示装置と同じ断面図であり、クランクがバックライトシャーシの鍔片に接触している状態を示す。
【図２】は、四隅を湾曲させた矩形板のクランクを含む固定ユニットによって、バックライトシャーシの鍔片が押さえられている液晶表示装置を示す斜視図である。
【図３】は、四隅を湾曲させた矩形板のクランクを含む固定ユニットの斜視図である。
【図４】は、図９に示される液晶表示装置のＡ−Ａ’線矢視断面図であり、クランクがバックライトシャーシの鍔片に接触していない状態を示す。
【図５】は、図３の固定ユニットの別例を示す斜視図であり、楕円板のクランクを含む固定ユニットの斜視図である。
【図６】は、楕円板のクランクを含む固定ユニットによって、バックライトシャーシの鍔片が押さえられている液晶表示装置を示す斜視図である。
【図７】は、図６に示される液晶表示装置の別例を示す斜視図である。
【図８】は、図３に示される固定ユニットの別例を示す斜視図である。
【図９】は、液晶表示装置の分解斜視図である。
【図１０】は、従来の液晶表示装置の断面図である。
【符号の説明】
【００７９】
１１    液晶表示パネル
２１    バックライトユニット
２２    蛍光管（光源）
２３    ランプホルダ
２４    反射シート
２５    拡散シート（光学部材）
２６    光学シート（光学部材）
３１    バックライトシャーシ（第２シャーシ）
３２    対向壁
３３    収容体
３４    収容体の底面
３５    鍔片
４１    内蔵シャーシ（第１シャーシ）
４２    支持片
４３    裾片
４５    内孔
５１    ベゼル
５２    挟持片
５３    囲み壁片
５５    外孔
ＵＴ    固定ユニット
６１    軸頭
６２    固定軸
６３    クランク
６４    持ち手（回動用持ち手、突起柱）
６６    面型端部
６７    点型端部
７１    隆起端（保持部）
８９    液晶表示装置
【図１】
2009109691.tif 000003
【図２】
2009109691.tif 000004
【図３】
2009109691.tif 000005
【図４】
2009109691.tif 000006
【図５】
2009109691.tif 000007
【図６】
2009109691.tif 000008
【図７】
2009109691.tif 000009
【図８】
2009109691.tif 000010
【図９】
2009109691.tif 000011
【図１０】
2009109691.tif 000012